(57)【特許請求の範囲】
【請求項１】
床面に立設した少なくとも２本の支柱とこの支柱間に懸架した棚板とで構成される収納ラックにおいて、上記支柱を内部が中空の角柱状に形成し、この支柱の側面に上下方向に浅い凹溝を凹設すると共にこの凹溝の底部から中空部まで貫通するように複数の挿通穴を上下に間隔を隔てて形成し、底部に挿通穴を形成した凹溝の両側に上下方向に位置決め溝を設け、位置決め溝に開口の巾が広く奥が狭くなるように傾斜面を設け、棚板の端部を受ける棚受け板を縦片と横片とで断面略Ｌ字状に形成すると共に縦片を支柱の側面に沿わせ、棚受け板の縦片から突設した引っ掛け片を挿通穴に挿通して穴縁に引っ掛け係合すると共に縦片から突設した突起を凹溝に嵌合し、引っ掛け片の両側で棚受け板から突設した位置決め突片を位置決め溝に挿入して係止したことを特徴とする収納ラックの棚受け板の取り付け構造。
【請求項２】
引っ掛け片の厚みより巾広で引っ掛け片が挿通可能な長さを有する上部長穴と、上部長穴の巾より狭く且つ引っ掛け片の厚みより巾広であって、上部長穴に対して傾斜した下部長穴とを、上下に連続させて設けて挿通穴を形成したことを特徴とする請求項１記載の収納ラックの棚受け板の取り付け構造。
【請求項３】
棚受け板の引っ掛け片の両側の上下に夫々位置決め突片を設け、両側の上下の位置決め突片を位置決め溝に挿入して係止したことを特徴とする請求項１又は２記載の収納ラックの棚受け板の取り付け構造。
【発明の詳細な説明】
【０００１】
【発明の属する技術分野】
本発明は、クローゼットのような収納庫内に設置する収納ラックで、支柱間に棚板を架設するときに棚板を支持する棚受け板を支柱に取り付ける構造に関するものである。
【０００２】
【従来の技術及び発明が解決しようとする課題】
一般に、この種の収納ラックは床面に所定の間隔を隔てて支柱を立設し、隣り合う支柱間に棚板を懸架して形成されている。棚板を懸架するとき、支柱の上下方向の適宜位置に棚受け板が取り付けられ、棚板の端部を棚受け板の上に載せて支持される。棚受け板を支柱に取り付けるときは支柱の上下に間隔を隔てて設けた穴に、棚受け板に設けたフックのような引っ掛け片を挿入して引っ掛けることで取り付けられる。
【０００３】
ところが、棚受け板の引っ掛け片を支柱の穴に挿入して引っ掛けるだけで棚受け板を取り付けるだけの構造では棚受け板ががたついたりしないように安定よく取り付けることができないという問題がある。
【０００４】
本発明は上記の点に鑑みてなされたものであり、支柱に棚受け板をがたついたりしないように安定よく取り付けることができる収納ラックの棚受け板の取り付け構造を提供することを課題とするものである。
【０００５】
【課題を解決するための手段】
上記課題を解決するための本発明の収納ラックの棚受け板の取り付け構造は、床面に立設した少なくとも２本の支柱１とこの支柱１間に懸架した棚板２とで構成される収納ラックにおいて、上記支柱１を内部が中空の角柱状に形成し、この支柱１の側面に上下方向に浅い凹溝９を凹設すると共にこの凹溝９の底部から中空部まで貫通するように複数の挿通穴３を上下に間隔を隔てて形成し、底部に挿通穴３を形成した凹溝９の両側に上下方向に位置決め溝４を設け、位置決め溝に開口の巾が広く奥が狭くなるように傾斜面を設け、棚板２の端部を受ける棚受け板５を縦片５ａと横片５ｂとで断面略Ｌ字状に形成すると共に縦片５ａを支柱１の側面に沿わせ、棚受け板５の縦片５ａから突設した引っ掛け片６を挿通穴３に挿通して穴縁に引っ掛け係合すると共に縦片５ａから突設した突起３０を凹溝９に嵌合し、引っ掛け片６の両側で棚受け板５から突設した位置決め突片７を位置決め溝４に挿入して係止したことを特徴とする。縦片５ａを支柱１の側面に沿わせた状態で、棚受け板５の引っ掛け片６を支柱１の挿通穴３に挿通して引っ掛け係合したことに加えて棚受け板５の両側の位置決め突片７が位置決め溝４に挿入して係止することで少なくとも３点で棚受け板５が支柱１に止められ、棚受け板５ががたついたりしないように安定よく取り付けられ、しかも位置決め突片７を位置決め溝４に挿入するとき挿入しやすく、また、引っ掛け片６を挿通穴３に挿通するとき引っ掛け片６を凹溝９にてガイドでき、引っ掛け片６の挿通穴３への挿通が容易にできて棚受け板５の取り付けが容易にできると共に突起３０と凹溝９とが嵌合することでこの部分でも固定されて棚受け板５の固定が一層安定し、従って棚板２が安定よく取り付けられる。
【０００８】
また引っ掛け片６の厚みより巾広で引っ掛け片６が挿通可能な長さを有する上部長穴３ａと、上部長穴３ａの巾より狭く且つ引っ掛け片６の厚みより巾広であって、上部長穴３ａに対して傾斜した下部長穴３ｂとを、上下に連続させて設けて挿通穴３を形成したことを特徴とすることも好ましい。引っ掛け片６を挿通穴６に挿通して引っ掛けて係合するとき、引っ掛け片６を上部長穴３ａに挿通し、この状態で引っ掛け片６を下降させて引っ掛け片６を下部長穴３ｂに挿通して引っ掛け片６を引っ掛け係合できる。このとき先に巾が広くて長さが長い上部長穴３ａに引っ掛け片６を挿通するために引っ掛け片６の挿通穴３への挿通が容易にできる。引っ掛け片６を上部長穴３ａに挿通した後に引っ掛け片６が下部長穴３ｂに挿通されるように下降させて引っ掛け係合させるが、巾が狭くて傾斜した下部長穴３ｂに引っ掛け片６を挿通した状態で引っ掛け係合され、引っ掛け片６ががたつかないように引っ掛け係合されて棚受け板５が一層安定よく取り付けられる。
【０００９】
また棚受け板５の引っ掛け片６の両側の上下に夫々位置決め突片７を設け、両側の上下の位置決め突片７を位置決め溝４に挿入して係止したことを特徴とすることも好ましい。このとき両側の上下の位置決め突片７が位置決め溝４に挿入して係止されることで５点で棚受け板５が支柱１に支持され、棚受け板５が支柱１により安定よく取り付けられる。
【００１０】
【発明の実施の形態】
建物の部屋の端部に図５、図６に示すようにクローゼットのような収納庫１０を設けてあり、この収納庫１０の奥壁１２と反対の前面の開口には開閉自在な扉１１を装着してある。この収納庫１０内には次のように収納ラックを設置してある。収納庫１０の奥壁１２の上部には水平にレール材１３を沿わせて配置してあり、レール材１３から奥壁１２にビス等の固着具を打入してレール材１３を装着してある。このレール材１３には長手方向に亙って引っ掛け溝１４を設けてある。
【００１１】
天枠材１５は角パイプ状に形成されており、レール材１３を取り付けた位置と同じレベルで長手方向が前後方向に向くように配置される。この天枠材１５の後端には端部ブロック１６が配置され、端部ブロック１６の挿入片１７を天枠材１５内に挿入し、挿入片１７の取り付け穴１８と天枠材１５の取り付け穴１９とにビス等の固着具２０を締結して端部ブロック１６を取り付けてある。端部ブロック１６には下方に突出する突片を設けることで引っ掛け部２１を設けてある。天枠材１５は端部ブロック１６の引っ掛け部２１を引っ掛け溝１４に引っ掛け係止することでレール材１３に後端が取り付けられる。この天枠材１５は支柱１を立設する間隔で左右に配設して後端がレール材１３に固定される。端部ブロック１６の下部の突出部２２には固定穴が設けられており、この固定穴からビスのような固着具がレール材１３を介して奥壁１２に打入されて固定されている。支柱１は図１や図７に示すように角柱状にアルミニウムのような金属にて形成されており、上下全長に亙って中空部２３が設けてある。この支柱１には一対のタッピングホール２４を上下全長に亙って設けてあり、天枠材１５の下方で床面に立設した支柱１の上端面を天枠材１５の下面に当接し、天枠材１５からタッピングホール２４にビス等の固着具を螺入して天枠材１５と支柱１とを連結してある。この支柱１を立設する位置は天枠材１５の前後方向の略中間の位置である。
【００１２】
天枠材１５の上面には前後方向に亙って凹溝２５を凹設してある。この天枠材１５に天板２６を支持するために取り付ける天板受け材２７は図８に示すように縦片２７ａと下横片２７ｂとで断面略Ｌ字状に形成され、縦片２７ａの上端から下横片２７ｂと反対方向に突出するように上横片２７ｃを連出してあり、上横片２７ｃの先端から下方に垂下片２７ｄを垂下してある。この天板受け材２７は天枠材１５の両側に天枠材１５と平行に配置され、縦片２７ａが天枠材１５の側面に沿わせられ、凹溝２５の両側で天枠材１５の上面に上横片２７ｃが沿わせられ、垂下片２７ｄが凹溝２５に挿入されて凹溝２５の内側面に沿わせられ、この状態で天枠材１５に天板受け材２７が仮止めされる。この天板受け材２７を仮止めした状態で図１１に示すように縦片２７ａからビスのような固着具２８が打入されて天枠材１５に天板受け材２７が装着される。
【００１３】
天板２６は矩形板状に形成されており、隣り合う天枠材１５間に嵌め込むように取り付けられる。天板２６を隣り合う天枠材４間に嵌め込んだ状態で天板２６の端部が天板受け材２７の下横片２７ｂの上に載置され、下横片２７ｂの下から天板２６にビスのような固着具２９が打入されて天板２６が天板受け材２７に固定される。
【００１４】
支柱１の左右の側面にはこの側面の巾方向の中央の位置で上下全長に亙るように凹溝９を穿設してあり、この凹溝９の底面から中空部２３まで貫通するように挿通穴３が設けてある。この凹溝９や挿通穴３を設けた部分の前後である両側には上下全長に亙るように位置決め溝４を形成してある。この位置決め溝４は開口の巾が広く奥が狭くなるように傾斜面８を設けてある。棚受け板５は金属板を板金加工することで形成されるものであり、縦片５ａと横片５ｂとで断面略Ｌ字状に形成されている。縦片５ａの前後方向の中央には略逆Ｌ字状の引っ掛け片６を切り起こしにて形成してあり、引っ掛け片６の下には凹溝９の深さと同じ高さの突起３０を突設してあり、縦片５ａの引っ掛け片６の前後である両側には切り起こしにて位置決め突片７を形成してある。本例の場合、横片５ｂの下に延出部３１を設けてあり、この延出部３１の前後にも位置決め突片７を設けてある。つまり、両側の上下に位置決め突片７を設けてあり、合計４個の位置決め突片７を設けてある。本例の場合、両側の上下に位置決め突片７を設けてあるが、上記延出部３１を設けずに縦片５ａの両側に位置決め突片７を設けるだけでもよい。
【００１５】
支柱１には上記のように挿通穴３が設けられるが、この挿通穴３は上部長穴３ａと下部長穴３ｂを上下に連続するように設けることで形成されている。上部長穴３ａは引っ掛け片６の厚みより巾広で引っ掛け片６が挿通可能な長さを有し、下部長穴３ｂは上部長穴３ａの巾より狭く且つ引っ掛け片６の厚みより巾広で、上部長穴３ａに対して僅かに傾斜している。
【００１６】
この棚受け板５は支柱１の適宜高さ位置に配置され、図２のように引っ掛け片６を挿通穴３に挿通して引っ掛け片６を穴縁に係合することで取り付けられる。このように棚受け板５を取り付けたとき、突起３０が凹溝９に嵌合され、位置決め突片７が位置決め溝４に挿入される。このとき、引っ掛け片６の引っ掛け係合に加えて両側の上下の位置決め突片７の位置決め溝４への挿入係止にて５点で止められ（両側に位置決め突片７が１個づつしかないときは３点で止められ）、棚受け板５ががたつかないように安定よく取り付けられる。このとき、突起３０が凹溝９に嵌合するとこの部分でも固定されて棚受け板５の固定が一層安定する。また位置決め溝４には傾斜面８を設けて開口側を狭くすると共に奥を狭くしてあるため位置決め突片７を挿入するとき挿入しやすい。また引っ掛け片６を挿通穴３に挿通するとき引っ掛け片６を凹溝９にてガイドでき、引っ掛け片６の挿通穴３に挿通が容易にできて棚受け板５の取り付けが容易にできる。また引っ掛け片６を挿通穴６に挿通して引っ掛けて係合するとき、図４（ａ）に示すように引っ掛け片６を上部長穴３ａに挿通し、この状態で図４（ｂ）に示すように引っ掛け片６を下降させて引っ掛け片６を下部長穴３ｂに挿通して引っ掛け片６を引っ掛け係合できる。このとき先に巾が広くて長さが長い上部長穴３ａに引っ掛け片６を挿通するために引っ掛け片６の挿通穴３への挿通が容易にできる。引っ掛け片６を上部長穴３ａに挿通した後に引っ掛け片６が下部長穴３ｂに挿通されるように下降させて引っ掛け係合させるが、巾が狭くて傾斜した下部長穴３ｂに引っ掛け片６を挿通した状態で引っ掛け係合され、引っ掛け片６ががたつかないように引っ掛け係合されて棚受け板５が一層安定よく取り付けられる。このように棚受け板５を取り付けた後、支柱１間に棚板２が架設されて棚板２の端部が棚受け板５の横片５ｂに載設されてビス等で固着される。
【００１７】
支柱１の下端には下端ブロック３４が取り付けられており、この下端ブロック３４には高さ調整するためのアジャスターボルト３５を螺合してあり、アジャスターボルト３５の下端に床面に設置する台座３６を装着してある。
【００１８】
またハンガーパイプ３８を支持するパイプ支持具３９は図１２に示すように形成されている。このパイプ支持具３９は端面板４０と端面板４０の内面側に周縁に立設した周壁４１とで主体が構成され、合成樹脂にて成形されている。そしてパイプ支持具３９の前端と後端とには傾斜溝からなるパイプ保持溝４２が設けられており、前後方向の中央の下部には周壁４１のない切り欠き４３が設けられている。切り欠き４３とパイプ保持溝４２との間は水平な連通溝４５となっており、切り欠き４３の前後の縁部には立ち上がり壁４６を設けてある。端面板４０の外面には引っ掛け片６′が設けられており、引っ掛け片６′の下には突起３０′が設けられており、引っ掛け片６′の前後である両側に位置決め突片７′が設けられている。
【００１９】
このパイプ支持具３９は棚受け板５と同様に取り付けられるものであって、図２に示すように引っ掛け片６′を支柱１の挿通穴３に挿通して引っ掛け係合され、突起３０′が支柱１の凹溝９が嵌合され、位置決め突片７′が位置決め溝４に挿入係止される。このようにパイプ支持具３９を支柱１に取り付けた状態で左右のパイプ支持具３９間に架設するようにハンガーパイプ３８が取り付けられる。ハンガーパイプ３８を架設するとき、ハンガーパイプ３８の長手方向の端部が切り欠き４３から挿入され、連通溝４５を介してパイプ保持溝４２に挿入することでハンガーパイプ３８の端部がパイプ保持溝４２に保持される。ハンガーパイプ３８を取り外す場合、上記と逆に操作して切り欠き４３からハンガーパイプ３８の端部を抜く。ハンガーパイプ３８を架設した状態で不用意な外力が加わってハンガーパイプ３８の端部が連通溝４５に至っても立ち上がり壁４６に当って、切り欠き４３からハンガーパイプ３８の端部が抜けて脱落するようなおそれがない。
【００２０】
図１３は収納ラックを施工した状態の具体的な一例であり、５０は引き出し、５１は網籠、５２はコンテナ、５３はフロアーストッカーである。
【００２１】
【発明の効果】
本発明の請求項１の発明は、支柱を内部が中空の角柱状に形成し、この支柱の側面に上下方向に浅い凹溝を凹設すると共にこの凹溝の底部から中空部まで貫通するように複数の挿通穴を上下に間隔を隔てて形成し、底部に挿通穴を形成した凹溝の両側に上下方向に位置決め溝を設け、位置決め溝に開口の巾が広く奥が狭くなるように傾斜面を設け、棚板の端部を受ける棚受け板を縦片と横片とで断面略Ｌ字状に形成すると共に縦片を支柱の側面に沿わせ、棚受け板縦片から突設した引っ掛け片を挿通穴に挿通して穴縁に引っ掛け係合すると共に縦片から突設した突起を凹溝に嵌合し、引っ掛け片の両側で棚受け板から突設した位置決め突片を位置決め溝に挿入して係止したので、縦片を支柱の側面に沿わせた状態で、棚受け板の引っ掛け片を支柱の挿通穴に挿通して引っ掛け係合したことに加えて棚受け板の両側の位置決め突片が位置決め溝に挿入して係止することで少なくとも３点で棚受け板が支柱に止められ、棚受け板ががたついたりしないように安定よく取り付けられ、しかも位置決め突片を位置決め溝に挿入するとき挿入しやすく、また、引っ掛け片を挿通穴に挿通するとき引っ掛け片を凹溝にてガイドでき、引っ掛け片の挿通穴への挿通が容易にできて棚受け板の取り付けが容易にでき、また、更に、突起と凹溝とが嵌合することでこの部分でも固定されて棚受け板の固定が一層安定し、従って棚板が安定よく取り付けられるものである。
【００２４】
また本発明の請求項２の発明は、請求項１において、引っ掛け片の厚みより巾広で引っ掛け片が挿通可能な長さを有する上部長穴と、上部長穴の巾より狭く且つ引っ掛け片の厚みより巾広であって、上部長穴に対して傾斜した下部長穴とを、上下に連続させて設けて挿通穴を形成したので、引っ掛け片を挿通穴に挿通して引っ掛けて係合するとき、引っ掛け片を上部長穴に挿通し、この状態で引っ掛け片を下降させて引っ掛け片を下部長穴に挿通して引っ掛け片を引っ掛け係合できるものであって、先に巾が広くて長さが長い上部長穴に引っ掛け片を挿通するために引っ掛け片の挿通穴への挿通が容易にできるものであり、しかも引っ掛け片を上部長穴に挿通した後に引っ掛け片が下部長穴に挿通されるように下降させて引っ掛け係合させたとき、巾が狭くて傾斜した下部長穴に引っ掛け片を挿通した状態で引っ掛け係合され、引っ掛け片ががたつかないように引っ掛け係合されて棚受け板が一層安定よく取り付けられるものである。
【００２５】
また本発明の請求項３の発明は、請求項１又は請求項２において、棚受け板の引っ掛け片の両側の上下に夫々位置決め突片を設け、両側の上下の位置決め突片を位置決め溝に挿入して係止したので、両側の上下の位置決め突片が位置決め溝に挿入して係止されることで５点で棚受け板が支柱に支持され、棚受け板が支柱により安定よく取り付けられるものである。
【図面の簡単な説明】
【図１】本発明の実施の形態の一例の支柱と棚受け板を示す分解斜視図である。
【図２】同上の支柱に棚受け板とパイプ支持具を取り付けた状態の断面図である。
【図３】同上の棚受け板を示し、（ａ）は平面図、（ｂ）は正面図、（ｃ）は拡大側面図である。
【図４】（ａ）（ｂ）は同上の支柱に棚受け板を取り付ける動作を説明図する側面図である。
【図５】同上の収納ラックを示す斜視図である。
【図６】同上の収納ラックの側面から見た断面図である。
【図７】同上の支柱の断面図である。
【図８】同上の天枠材や天板を固定する部分の一部切欠分解斜視図である。
【図９】同上の天枠材の後端をレール材に取り付けた状態の一部切欠分解斜視図である。
【図１０】同上の組み立て状態の一部切欠斜視図である。
【図１１】同上の天枠材や天板受け材や天板を固定した状態の断面図である。
【図１２】同上のハンガーパイプとパイプ支持具とを示す分解斜視図である。
【図１３】同上の収納ラックの具体的な例を示す正面図である。
【符号の説明】
１  支柱
２  棚板
３  挿通穴
３ａ  上部長穴
３ｂ  下部長孔
４  位置決め溝
５  棚受け板
５ａ  縦片
５ｂ  横片
６  引っ掛け片
７  位置決め突片
８  傾斜面
９  凹溝
【図１】
0003838118.tif 000002
【図２】
0003838118.tif 000003
【図３】
0003838118.tif 000004
【図４】
0003838118.tif 000005
【図５】
0003838118.tif 000006
【図６】
0003838118.tif 000007
【図７】
0003838118.tif 000008
【図８】
0003838118.tif 000009
【図９】
0003838118.tif 000010
【図１０】
0003838118.tif 000011
【図１１】
0003838118.tif 000012
【図１２】
0003838118.tif 000013
【図１３】
0003838118.tif 000014